(57)【要約】【課題】  案内ブロックとベールとの間におけるラインの引っ掛かりを防止する。【解決手段】  リール本体２０およびこのリール本体２０に回転可能に支持されたロータ４０を有している。ロータ４０には第一および第二のベール支持アーム４３，４４がそれぞれ回動可能に支持されており、これらのベール支持アーム４３，４４間にはベール４５が設けられている。第一のベール支持アーム４３とベール４５との間には案内ブロック４８が介在され、この案内ブロック４８と第一のベール支持アーム４３との間にはローラ４６が介在されている。案内ブロック４８は、ベール４５に接続される大略円錐形状をなす円錐状部分５０と、ローラ４６に隣接される基部５５とを有している。円錐状部分５０は、ベール４５の一端部を挿入される穴と、この穴の両側に位置された２つの頂部５２を有している。【選択図】    図４
2006197923.tif 000002
【特許請求の範囲】
【請求項１】
リール本体と、２つのロータアームを有し、前記リール本体に回転可能に支持されたロータと、一方の前記ロータアームに回動可能に支持された第一のベール支持アームと、他方の前記ロータアームに回動可能に支持された第二のベール支持アームと、前記第一のベール支持アームと前記第二のベール支持アームとの間に設けられたベールと、前記第一のベール支持アームと前記ベールとの間に介在された案内ブロックと、前記案内ブロックと前記第一のベール支持アームとの間に介在されたローラとを有してなり、
前記案内ブロックは、前記ベールに接続される大略円錐形状をなす円錐状部分と、前記ローラに隣接される基部とを有しており、
前記円錐状部分は、前記ベールの一端部を挿入される穴と、この穴の両側に位置された２つの頂部とを有しているスピニングリール。
【請求項２】
前記案内ブロックの前記円錐状部分は、大略、円錐を径方向に潰して若干偏平状とした形状をなしている請求項１記載のスピニングリール。
【請求項３】
前記案内ブロックの前記円錐状部分は、前記頂部から前記基部へ延びる２本の稜線を有している請求項２記載のスピニングリール。
【請求項４】
前記案内ブロックの前記円錐状部分は、まず頂部が１つしかない形状に作られ、次に、前記唯一の頂部に前記穴を明けられることにより前記２つの頂部を有する形状とされている請求項３記載のスピニングリール。
【請求項５】
前記２つの頂部は、前記案内ブロックのうちの、前記ベ−ルより、前記ラインを案内する側ではない位置に設けられている請求項１乃至４のいずれかに記載のスピニングリール。
【発明の詳細な説明】
【技術分野】
【０００１】
本発明は、概して釣り用リールに係り、特にライン(釣糸)の引っ掛かりを防止するスピニングリールに関する。
【背景技術】
【０００２】
図１および２は、主要部品としてリール本体２、スプール３、ロータ４およびハンドル５を有する従来のスピニングリールを示している。前記ハンドル５は、伝達機構（図示せず）を介して、スプール３を軸方向に往復運動させるとともに、ロータ４を回転駆動するように回転される。その結果、ラインをスプール３に巻くことができる。
【０００３】
前記ロータ４の互いに相対向する位置には、２つのベール支持アーム６がそれぞれ回動可能に支持されており、これらのベール支持アーム６間には、ベール７が設けられている。前記ベール支持アーム６の１つには、ローラ８が回転可能に設けられている。このローラ８にラインが巻回されるようにするため、通常は、ベール７とローラ８との間に案内ブロック９が設けられ、ベール７から案内ブロック９を経てローラ８へラインが案内されるようになっている。案内ブロック９は、その頂部の背後に、ベール７を挿入するための穴９１を有している。ベール７と案内ブロック９との間のギャップにラインが引っ掛かるのを防止するため、図１においてａと付された、ラインがそこに引っ掛かかりやすいことを示している位置(ベール７と案内ブロック９の頂部との間)が、通過するラインの通り道外に位置されて、ラインが引っ掛かる虞が減少することとなるように、穴９１は案内ブロック９の頂部の裏側から離間されている。
【発明の開示】
【発明が解決しようとする課題】
【０００４】
しかしながら、ラインが放出されるとき、図２に示されるように、ベール７およびベール支持アーム６は約１１０度回転されなければならない。このとき、ラインは不規則にねじれ、ときとして、図３のように、ライン９２がベール７と案内ブロック９の頂部との間（位置ａ）に引っ掛かってしまっていた。
【０００５】
本発明の主な目的は、ラインの引っ掛かりを防止することができるスピニングリールを提供することにある。
【０００６】
本発明のさらに他の目的は、以下の説明から明らかになろう。
【課題を解決するための手段】
【０００７】
本発明のスピニングリールは、リール本体およびこのリール本体に回転可能に支持されたロータを有してなる。前記ロータは２つのロータアームを有しており、一方のロータアームに第一のベール支持アーム、他方のロータアームに第二のベール支持アームがそれぞれ回動可能に支持されている。前記第一のベール支持アームと前記第二のベール支持アームとの間にはベールが設けられている。前記第一のベール支持アームと前記ベールとの間には案内ブロックが介在され、前記案内ブロックと前記第一のベール支持アームとの間にはローラが介在されている。
【０００８】
前記案内ブロックは、前記ベールに接続される大略円錐形状をなす円錐状部分と、前記ローラに隣接される基部とを有している。前記円錐状部分は、前記ベールの一端部を挿入される穴と、この穴の両側に位置された２つの頂部を有している。
【０００９】
前記従来のスピニングリール１においては、案内ブロック９のうちのベール７よりラインを案内しない側に案内ブロック９の唯一の頂部が存在し、この頂部がベール７との間に大きなギャップを作っていたので、ラインがそこに引っ掛かり易かったが、本発明のスピニングリールでは、２つの頂部をベールに近接させ、２つの頂部がベールとの間に大きなギャップを作らないようにすることができるので、案内ブロックとベールとの間へのラインの引っ掛かりを防止することができる。
【発明の効果】
【００１０】
本発明のスピニングリールにおいては、ベールと案内ブロックとの間にラインが引っ掛かるのを防止することができる。
【発明を実施するための最良の形態】
【００１１】
以下、本発明を図面に示す実施例に基づいて説明する。
【実施例】
【００１２】
図４〜７は本発明の一実施例を示している。図４に示されるように、本発明の好ましい実施例のスピニングリール１０は、リール本体２０、スプール３０、ロータ４０、ハンドル６０および伝達機構（図示せず）を有してなる。
【００１３】
前記リール本体２０は、釣り竿（図示せず）に接続されるＴ字状の接続部２２を有している。前記スプール３０は、前記リール本体２０の前端部に設けられてライン（図示せず）を巻かれるようになっている。前記ハンドル６０はリール本体２０の側部に設けられており、前記伝達機構を介して、スプール３０を駆動して軸方向に往復運動させるとともに、ロータ４０を回転駆動するようになっている。
【００１４】
前記ロータ４０は、リール本体２０に回転可能に支持されており、２つのロータアーム５７，５８を有している。一方のロータアーム５７には第一のベール支持アーム４３、他方のロータアーム５８には第二のベール支持アーム４４がそれぞれ回転可能に支持されている。前記第一および第二のベール支持アーム４３，４４間にはベール４５が接続されている。前記第一のベール支持アーム４３とベール４５との間には、案内ブロック４８が介在され、前記案内ブロック４８と第一のベール支持アーム４３との間にはローラ４６が介在されている。前記案内ブロック４８は、ベール４５に接続される円錐状部分５０と、ローラ４６に隣接される基部５５とを一体的に有している。前記円錐状部分５０は、大略、基部５５に対して軸が傾いた円錐を径方向に潰して若干偏平状とした形状をなしており、ベール４５の一端側を挿入される穴５１(図５および６参照)と、この穴５１の両側に位置された２つの頂部５２と、頂部５２から基部５５に延びる２本の稜線５３とを有している。
【００１５】
実際の製造時には、案内ブロック４８の円錐状部分５０は、まず頂部が１つしかない形状に作られ、次に、前記唯一の頂部に、図５に示されるように穴５１を大略該円錐状部分の軸方向に明けられる。円錐状部分５０は両側に２本の稜線５３を有しているので、前記穴５１の形成により、前記のように穴５１の両側に２つの頂部５２を備えた形状となる(前記唯一の頂部は消失する)。
【００１６】
本発明のスピニングリール１０においては、ラインを巻き取るべく、ベール４５およびベール支持アーム４３，４４を図４に示されるライン巻き取り位置に回動させて、ハンドル６０を回転させた場合は、ラインはベール４５および案内ブロック４８に案内されてローラ４６の図４における右側に達し、ラインが案内ブロック４８の頂部５２とベール４５との間に引っ掛かることはない。他方、ラインを放出するときは、ベール４５およびベール支持アーム４３，４４が図７に示されるライン放出位置に回動され、ラインはスプール３０から不規則に放出されるが、案内ブロック４８のうちのラインを案内しない側（図７におけるベール４５より上方)を通っても、ラインが案内ブロック４８の２つの頂部５２とベール４５との間に引っ掛かることはない。何故ならば、前記従来のスピニングリール１においては、案内ブロック９のうちのベール７よりラインを案内しない側（図２におけるベール７より上方)に案内ブロック９の唯一の頂部が存在し、この頂部がベール７との間に大きなギャップを作っていたので、ラインがそこに引っ掛かり易かったが、本発明のスピニングリールでは、案内ブロック４８が２つの頂部５２を有する形状とすることにより、これらの２つの頂部５２をベール４５に近接させ、これらの２つの頂部５２がベール４５との間に大きなギャップを作らないようにすることができるからである。そして、同時に、頂部５２を案内ブロック４８のうちのベール４５よりラインを案内する側（図４におけるベール４５の右側)に位置させないようにすることができる(頂部５２がラインを案内する側に存在すると、ライン巻き取り時にラインが引っ掛かりやすくなってしまう)。
【００１７】
なお、本発明において、２つの頂部の相対位置は図面に示される位置に限られない。同等の構造は、本発明の範囲内にある。
【図面の簡単な説明】
【００１８】
【図１】ベールがライン巻き取り位置にある状態における従来のスピニングリールの斜視図である。
【図２】ベールがライン放出位置にある状態における前記従来のスピニングリールの斜視図である。
【図３】ベールがライン放出位置にある状態における前記従来のスピニングリールの部分的拡大図である。
【図４】ベールがライン巻き取り位置にある状態における本発明の好ましい実施例の斜視図である。
【図５】前記実施例の要部の分解図である。
【図６】前記実施例における案内ブロックの背面図である。
【図７】ベールがライン放出位置にある状態における前記実施例の斜視図である。
【符号の説明】
【００１９】
１０    スピニングリール
２０    リール本体
３０    スプール
４０    ロータ
４３    第一のベール支持アーム
４４    第二のベール支持アーム
４５    ベール
４６    ローラ
４８    案内ブロック
５０    案内ブロックの円錐状部分
５１    穴
５２    頂部
５５    案内ブロックの基部
５７，５８  ロータアーム
【図１】
2006197923.tif 000003
【図２】
2006197923.tif 000004
【図３】
2006197923.tif 000005
【図４】
2006197923.tif 000006
【図５】
2006197923.tif 000007
【図６】
2006197923.tif 000008
【図７】
2006197923.tif 000009